(57)【要約】【課題】刈刃を有する作業部が操作杆に対して折り重なるような角度に屈折すると、刈刃を駆動する駆動機構を作動不能にして安全を図る。【解決手段】駆動機構によって刈刃を駆動させる作業部と、原動機の動力を駆動機構に伝える伝動機構を有する操作杆とを屈折可能に接続した刈取機において、作業部と操作杆とが所定の屈折角度の範囲にあるときに駆動機構を駆動不能にする駆動不能機構を作業部と操作杆とに亘って設けたことを特徴とする刈取機の安全装置。【選択図】      図１
2004267148.tif 000002
【特許請求の範囲】
【請求項１】
駆動機構によって刈刃を駆動させる作業部と、原動機の動力を駆動機構に伝える伝動機構を有する操作杆とを屈折可能に接続した刈取機において、作業部と操作杆とが所定の屈折角度の範囲にあるときに駆動機構を駆動不能にする駆動不能機構を作業部と操作杆とに亘って設けたことを特徴とする刈取機の安全装置。
【請求項２】
駆動不能機構が、作業部と操作杆とが所定の屈折角度の範囲にあるときにピンを動かして係合体を作動させ、係合体が駆動機構の駆動体に係合して駆動を不能にするものである請求項１の刈取機の安全装置。
【請求項３】
ピンの作用によって係合体が回転するものであり、係合体に設けられた係合部がギアである駆動体の歯形間に挿入するものである請求項２の刈取機の安全装置。
【請求項４】
ギアの回転方向と係合体の係合側回転方向とが逆に設定される請求項３の刈取機の安全装置。
【請求項５】
刈刃がバリカン刃かロータリ刃のどちらかである請求項１〜４いずれかの刈取機の安全装置。
【発明の詳細な説明】
【０００１】
【発明の属する技術分野】
本発明は、ヘッジトリマーや草刈機として使用される刈取機の安全装置に関するものである。
【０００２】
【従来の技術】
バリカン刃やロータリ刃を有する作業部と、作業部に動力を伝動するとともに、手で持って刈取り操作をする操作杆とを接続した刈取機は知られている。このような刈取機では、刈り取る草、芝、生け垣の樹木等の植生地形に応じて操作杆に対して作業部を傾ける必要がある。このため、操作杆と作業部を動力を接続したままで屈折（回動）できるように連結している。
【０００３】
【発明が解決しようとする課題】
従って、操作杆に対して作業部を任意の角度に回動できるが、作業部を作業者側に折り返すような角度で回動させたときは非常に危険である。ほとんどの場合は、原動機を低速にして動力を切断するが、時としてその操作を忘れたりすることがある。又、忘れないまでも、原動機が低速になって遠心クラッチが切断するまでには時間がかかり、且つ、惰性でも回転するから、その間に刈刃に身体が触れることがある。
【０００４】
本発明は、このような課題を解決したものであり、作業部と操作杆とが危険な角度に屈折されたときには、作業部に設けられる刈刃を駆動する駆動機構を駆動不能にするようにして安全を図ったものである。
【０００５】
【課題を解決するための手段】
以上の課題の下、本発明は、請求項１に記載した、駆動機構によって刈刃を駆動させる作業部と、原動機の動力を駆動機構に伝える伝動機構を有する操作杆とを屈折可能に接続した刈取機において、作業部と操作杆とが所定の屈折角度の範囲にあるときに駆動機構を駆動不能にする駆動不能機構を作業部と操作杆とに亘って設けたことを特徴とする刈取機の安全装置を提供したものである。
【０００６】
本発明によれば、作業部に設けられる刈刃を駆動する駆動機構を駆動不能にする駆動不能機構を作業部と操作杆とに亘って設けたものであるから、作業部が操作杆に折り重なるようになって身体に接近するような場合等のように、作業部と操作杆とが危険な角度に屈折されたときには、作業部に設けられる刈刃が駆動不能になり、安全が図られる。
【０００７】
【発明の実施の形態】
以下、本発明の実施の形態を図面を参照して説明する。図４は本発明の一例を示す刈刃をバリカン刃とする刈取機の一部断面平面図、図５、図６は一部断面側面図であるが、この刈取機は、作業者が手で持って操作する操作杆１と、操作杆１の下端に屈折（回動）可能に連結される作業部２とからなるものである。これにおいて作業部２には、上刃３と下刃４とからなるバリカン刃５が設けられており、操作杆１の一端には原動機（図示省略）が設けられているものである。尚、原動機については、作業者が背中等に負う別体式のものもある。
【０００８】
操作杆１の一端にはカップ状の接続部材６が設けられており、作業部２の一端にも同じくカップ状の接続部材７が設けられている。そして、これらカップ面同士が合わさって接合されている。操作杆１側の接続部材６には、原動機から駆動軸８を介して駆動される伝動ギア９が設けられており、作業部２側の接続部材７には、バリカン刃５を駆動する駆動機構１０に動力を伝える伝動ギア１１が設けられている。これら伝動ギア９、１１に動力を伝えるのが両接続部材６、７に亘って設けられるベベルギア機構１２であり、これらでもって伝動機構１３を構成している。
【０００９】
駆動機構１０は、伝動機構１３の伝動ギア１１によって駆動されるギア１４を主体とするものであり、このギア１４の表裏面には、対称位置に偏心したカム１５、１６が突設されている。このカム１５、１６にはクランクロッド１７、１８が嵌装されており、このクランクロッド１７、１８の先端に上刃３と下刃４が連結されている。これにより、原動機の動力は、伝動機構１３から駆動機構１０に伝えられ、上刃３と下刃４とを反対方向に往復動させ、草や樹木を刈り取ることになる。
【００１０】
以上の構成であると、操作杆１と作業部２とは接続部材６、７の合わせ面を摺動面として動力を接続したままで回動できることになる（作業部２に付設されているレバー２ａを操作して行なう）。この場合、操作杆１は作業部２から延出するバリカン刃５の摺動面に対して直角な平面内で回動することになる。これにより、作業をしながらでも、被刈取物の植生地形等に応じて最適な角度に調整することができるものになる。この角度は、安全上、設定した角度にロックされる必要があるから、両接続部材６、７の一方に段階的にノッチ１９を形成し、他方にこのノッチ１９に挿抜できるピン２０を設けてロック機構２１としている。
【００１１】
本発明は、以上の構成において、操作杆１と作業部２とが危険な角度内になると、作業部１の駆動機構１０を駆動不能にする駆動不能機構２２を設けたものである。図１、図２はこの駆動不能機構２２の一例を示す要部平面図、図３は側面図であるが、本例の駆動不能機構２２は、操作杆１の接続部材６と作業部２の接続部材７とに亘って出退するピン２３と、ピン２３で制御されて駆動機構１０の駆動体（ギア）１４に係脱する係合体２４とからなる。
【００１２】
本例の係合体２４は、ギア１４の軸と平行に設けられるピン状をしているものであり、下端には、半割りなってギア１４の歯形１４ａ間に入り込むことができる係合部２４ａが形成され、上端にレバー２５が取り付けられたものである。ピン２３は、このレバー２５に向かって出退するものであり、その後端は操作杆１の接続部材６に形成されたカム面２６に接触しているものである。
【００１３】
カム面２６は、ピン２３に対して高低に形成されているものであり、操作杆１が作業部２に対して安全な角度になっているとき、カム面２６はピン２３に対して高い面（２６ａ）に設定される。従って、ピン２３はカム面２６ａに押されて前進し、レバー２５を押して係合体２４を回転させる。すると、係合部２４ａはギア１４の歯形１４ａの外側に退避し（図１）、駆動機構１０の駆動は妨げられず、バリカン刃５は作動する。
【００１４】
一方、作業部２に対して操作杆１が危険な角度になると、カム面２６は低い面（２６ｂ）になり、ピン２３を後退させてレバー２５から離間する。すると、係合体２４は元の方向に回転して係合部２４ａがギア１４の歯形１４ａに入り込む（図２）。従って、ギア１４はロックされて駆動機構１０を駆動不能にし、バリカン刃５は作動しない。尚、この状態が確実になるように、係合体２４はトルクバネ２７によってロック側に付勢されているし、ピン２３はバネ２８によってレバー２５から離間する方向に付勢されている。
【００１５】
この駆動機構１０のロック時、ギア１４の回転方向と係合体２４の係合側の回転方向とは逆向きに設定されている。従って、係合部２４ａと歯形１４ａとが干渉する関係になると、係合部２４ａは歯形１４ａに呼び込まれて自動的にその間に入り込むようになり、確実にロックされるものになる。
【００１６】
ところで、以上における操作杆１が作業部２に対して安全な角度、危険な角度は適宜に設定できる。例えば、操作杆１が作業部２に折り重なるような角度（収納するとき等にはこの姿勢をとることが多い）から、直角を超えてやや斜めになった角度の約１２０°程度を危険な角度（α）、そうでない角度を安全な角度とすることが考えられるが、勿論、これに限定されるものではない。尚、この角度（α）に応じてカム面２６を高低にすることはいうまでもない。
【００１７】
ところで、以上の説明は、刈刃をバリカン刃とするものであるが、作業部と操作杆とが屈折可能に構成されるものであれば、本発明は、刈刃がロータリ刃の場合であっても適用できる。ロータリ刃であっても、原動機の動力をロータリ刃に伝える駆動機構は設けられているから、これに上記した駆動不能機構を組み込めばよい。
【００１８】
【発明の効果】
以上、本発明は、上記したものであるから、則ち、作業部に設けられる刈刃を駆動する駆動機構を駆動不能にする駆動不能機構を作業部と操作杆とに亘って設けたものであるから、作業部が操作杆に折り重なるようになって身体に接近するような場合等のように、作業部と操作杆とが危険な角度に屈折されたときには、作業部に設けられる刈刃が駆動不能になり、安全が図られる。
【図面の簡単な説明】
【図１】本発明に係る安全装置の一例を示す要部平面図である。
【図２】本発明に係る安全装置の一例を示す要部平面図である。
【図３】本発明に係る安全装置の一例を示す側面図である。
【図４】本発明に係る安全装置の一例が適用される刈取機の一部断面平面図である。
【図５】本発明に係る安全装置の一例が適用される刈取機の一部断面側面図である。
【図６】本発明に係る安全装置の一例が適用される刈取機の一部断面側面図である。
【符号の説明】
１    操作杆
２    作業部
５    刈刃
１０  駆動機構
１３  伝動機構
１４  駆動体（ギア）
１４ａ歯形
２２  駆動不能機構
２３  ピン
２４  係合体
２４ａ係合部
【図１】
2004267148.tif 000003
【図２】
2004267148.tif 000004
【図３】
2004267148.tif 000005
【図４】
2004267148.tif 000006
【図５】
2004267148.tif 000007
【図６】
2004267148.tif 000008